(57)【要約】  【課題】  複数のパドロックを取り付け可能であり、このパドロックを全て外した場合のみ、スイッチから取り外すことができて、しかも、比較的多様なスイッチ受け部に適用することが可能なインターロック装置を提供する。  【解決手段】  複数の貫通孔１１ｅが形成されたケース１１と、ケースの貫通孔に対応する位置に複数の貫通孔１３ａが形成され、ケース内に可動するように収容された板体１３と、一端１２ａがケース１１に貫装されて板体１３に枢着され、他端１２ｂがケースのソケット孔１１ｇに抜き差しされるシャックル１２とを備え、板体がケース内の所定位置に在るとき、シャックルの他端はソケット孔に差し込まれた状態になると共に、ケースの貫通孔と板体の貫通孔との全てが一致し、一致した任意の貫通孔に錠を挿通することにより、機器のスイッチを操作不能にするものである。  【選択図】  図１
2008041591.tif 000002
【特許請求の範囲】
【請求項１】
複数の貫通孔が形成されたケースと、当該ケースの貫通孔に対応する位置に複数の貫通孔が形成され、ケース内に可動するように収容された板体と、一端が前記ケースに貫装されて前記板体に枢着され、他端が前記ケースのソケット孔に抜き差しされるシャックルとを備え、前記板体が前記ケース内の所定位置に在るとき、シャックルの前記他端はソケット孔に差し込まれた状態になると共に、ケースの貫通孔と板体の貫通孔との全てが一致し、当該一致した任意の貫通孔に錠を挿通することにより、機器のスイッチを操作不能にするものであるインターロック装置。
【請求項２】
前記ケースと前記板体との対向する所定位置に相互に係合する係合部を設け、少なくとも、ケースの貫通孔と板体の貫通孔との全てが一致した位置では、当該係合部どうしが係合するものである請求項１に記載のインターロック装置。
【発明の詳細な説明】
【技術分野】
【０００１】
本発明は、制御盤や操作盤等の所定箇所に着脱することにより誤操作を防止するためのインターロック装置に関する。
【背景技術】
【０００２】
製造現場等では、危険な機械や設備に作業者が近づいて、保守、メンテナンス、故障修理を行わなければならないことがある。そのような機械や設備には、スイッチに制御棒やパドロックが取り付けられ、その制御棒やパドロックを外さないと、スイッチを操作できないようにするものがあり、複数の作業者にも対応できる安全構造の装置も提案されている。
【０００３】
例えば、特許文献１に記載されている多重ロック装置は、制御盤や操作盤などに組み込まれたピンロック形回路遮断器を多重ロックするものであり、ロックバーと施錠柱とが一体に形成され、施錠柱には複数の孔が設けられ、ロックフックが施錠柱とロックバーとに係合して上下動自在に設けられ、ロックフックが、施錠柱の最下端にあるときに旋回してロックバーから解除可能に構成されている。
【０００４】
この多重ロック装置は、ロックバーをピンロック形回路遮断器のピン孔に差し込み、ロックフックを施錠柱とロックバーとに係合させて上方にスライドさせ、施錠柱の孔にパドロックを施錠することにより、ピンロック形回路遮断器を操作不可能にするものである。逆に、施錠柱の孔からパドロックを全て外すと、ロックフックは施錠柱の最下端にスライドし、ロックバーから係合解除され、ロックバーはピンロック形回路遮断器のピン孔から抜き取られ、ピンロック形回路遮断器が操作可能になる。
【０００５】
しかしながら、特許文献１の多重ロック装置では、ロックフックの上側に位置する施錠柱の孔に誤ってパドロックを取り付けてしまった場合、パドロックを全て外さなくても、ロックフックは施錠柱の最下端にスライドし、ロックバーをピンロック形回路遮断器のピン孔から抜き取ることが可能になってしまうという問題がある。
【０００６】
また特許文献１とは異なる従来装置として、米国のMaster Lock Companyにより製造販売されている掛金装置（SAFETY LOCKOUT HASP）がある。図４（ａ）（ｂ）に示したように、掛金装置３０は、あご部３１が一体に形成された板体３２に複数の孔３３が穿設され、二枚の板体３２，３２を表裏逆に重ね合わせて枢軸３４で連結したものである。板体３２，３２どうしの孔３３が全て一致すると、あご部３１，３１の先端が重なって閉鎖され、孔３３にパドロックを施錠することにより、あご部３１，３１を開くことができなくなる。
【０００７】
掛金装置３０は、枢軸３４を中心にあご部３１，３１を回動させて開閉するものであるため、あご部３１，３１を係止することができる受け部の形状は限定され、汎用性という点で課題がある。また図４（ａ）の状態で、パドロックを孔３３に施錠した場合には、あご部３１と板体３２の全てにパドロックの荷重が作用するため、全体を比較的頑丈な金属材料で形成しなければならず、材料コストが高くなるという課題がある。
【特許文献１】特開２００５−３４７１６３号公報
【発明の開示】
【発明が解決しようとする課題】
【０００８】
したがって、本発明の目的は、複数のパドロックを取り付け可能であり、このパドロックを全て外した場合のみ、スイッチから取り外すことができて、しかも、比較的多様なスイッチ受け部に適用することが可能なインターロック装置を提供することである。
【０００９】
また本発明の目的は、構成部材の全てを必ずしも頑丈な金属材料で形成する必要がなく、材料コストを抑制することが可能なインターロック装置を提供することである。
【課題を解決するための手段】
【００１０】
以下、課題を解決するための手段について、添付図面中の参照番号を付して説明する。
【００１１】
本発明では、複数の貫通孔１１ｅが形成されたケース１１と、当該ケース１１の貫通孔１１ｅに対応する位置に複数の貫通孔１３ａが形成され、ケース１１内に可動するように収容された板体１３と、一端１２ａが前記ケース１１に貫装されて前記板体１３に枢着され、他端１２ｂが前記ケース１１のソケット孔１１ｇに抜き差しされるシャックル１２とを備え、前記板体１３が前記ケース１１内の所定位置に在るとき、シャックル１２の前記他端１２ｂはソケット孔１１ｇに差し込まれた状態になると共に、ケース１１の貫通孔１１ｅと板体１３の貫通孔１３ａとの全てが一致し、当該一致した任意の貫通孔１１ｅ，１３ａに錠を挿通することにより、機器のスイッチを操作不能にするものであるインターロック装置１０が提供される。
【００１２】
本発明のインターロック装置１０では、必要に応じて、前記ケース１１と前記板体１３との対向する所定位置に相互に係合する係合部１１ｈ，１３ｃを設け、少なくとも、ケース１１の貫通孔１１ｅと板体１３の貫通孔１３ａとの全てが一致した位置で、当該係合部１１ｈ，１３ｃどうしが係合するように構成することが好ましい。
【発明の効果】
【００１３】
本発明のインターロック装置では、ケースの貫通孔と板体の貫通孔との全てが一致したときに、これら貫通孔のうちの何れかにパドロックを挿通することができるものであり、一箇所でも、パドロックが挿通されている場合には、板体の動きは規制され、シャックルの先端をソケット孔から外すことができないものである。したがって、本発明のインターロック装置では、引用文献１のように、パドロックを誤った位置に取り付けるといった事態は生じえず、高い安全性が得られるものである。
【００１４】
また本発明のインターロック装置は、シャックルが上下に往復し、且つ回動するだけのものであり、シャックルは、比較的多様なスイッチ受け部に適用することが可能である。
【００１５】
さらに、本発明のインターロック装置は、パドロックをケースの貫通孔と板体の貫通孔との両方に挿通させるものでありながら、ケースは、板体とシャックルのどちらに対しても相対的に上下方向に可動に構成されているので、パドロックの荷重は板体とシャックルのみに作用し、ケースには作用しない。したがって、ケースは必ずしも頑丈な金属材料で形成する必要がなく、例えば、合成樹脂材料でケースを製造した場合には、材料コストを格段に抑制することが可能になる。
【発明を実施するための最良の形態】
【００１６】
以下、図面を参照して本発明について説明するが、本発明はこれに限定されるものではない。
【００１７】
本発明にかかるインターロック装置１０は、図１及び図２に示したように、ケース１１にシャックル１２が設けられたパドロック形状のものであり、ケース１１内には板体１３が上下に動くように収容されている。
【００１８】
ケース１１は本体部１１ａとカバー１１ｂとからなり、カバー１１ｂに係止爪１１ｃが形成される一方で、本体部１１ａには受け部１１ｄが形成され、係止爪１１ｃを受け部１１ｄに係合させることにより両部材１１ａ，１１ｂが一体化されている。本体部１１ａとカバー１１ｂには複数の貫通孔１１ｅが形成され、これら貫通孔１１ｅはそれぞれ対向配置されている。また本体部１１ａには、シャックル１２の基端１２ａを貫装させるための貫通孔１１ｆと、シャックル１２の先端１２ｂを嵌合させるためのソケット孔１１ｇとが形成されている。
【００１９】
なお、ケース１１の本体部１１ａとカバー１１ｂは、合成樹脂及び金属等のいかなる材料からも製造可能であるが、ここでは、合成樹脂材料から形成されたものが使用される。すなわち、本発明のインターロック装置１０は、パドロックからの重量がケース１１自体に直接作用しないように構成されており、ケース１１自体に大きな強度は必要ないので、製造コストを抑制するという観点から、合成樹脂材料を用いて製造するのが好ましい。
【００２０】
シャックル１２は、ステンレス鋼等の金属からＪ字状またはＵ字状に形成されたものであり、基端１２ａには後述するＥリング１４ａ，１４ｂ取付けのための溝（図示せず）が形成されている。
【００２１】
次に、板体１３はステンレス鋼等の金属から形成されたものであり、複数の貫通孔１３ａが穿設されている。板体１３がケース１１内において図２（ｃ）の位置に在るとき、ケース１１及び板体１３の複数の貫通孔１１ｅ，１３ａはそれぞれ全て一致し、各貫通孔１１ｅ，１３ａにパドロック（図示せず）のシャックルが挿通可能なようになる。板体１３には、シャックル取付け部１３ｂが管状に形成されており、ここに、シャックル１２の基端１２ａが貫装され、この基端１２ａの上下にＥリング１４ａ，１４ｂが取り付けられ、シャックル取付け部１３ｂから抜けないようにしている。シャックル１２の基端１２ａは、シャックル取付け部１３ｂにおいて回動可能なように枢着されている。
【００２２】
また板体１３と、ケース１１の本体部１１ａとには、図２（ｃ）に示したように、対向する位置に相互に係合する係合部１３ｃ，１１ｈが形成されている。これらの係合部１３ｃ，１１ｈは、必要に応じて形成されるものであり、ケース１１及び板体１３の複数の貫通孔１１ｅ，１３ａが全て一致したとき、及び板体１３がケース１１内の最上部まで稼動したときに、係合部１３ｃ，１１ｈどうしが係合し、両部材１１，１３が簡易的にロックされる。この簡易的なロック状態は、手指によりシャックル１２を介して力を加えれば、簡単に解除できるものである。
【００２３】
次に、インターロック装置１０の作用について説明する。
【００２４】
図３（ａ）〜（ｃ）は、ケース１１からカバー１１ｂを外して示した部分拡大図である。インターロック装置１０は使用されていないとき、図１のように貫通孔１１ｅ，１３ａにパドロックが取り付けられず、シャックル１２が矢印Ａ方向に自在に動くものである。
【００２５】
図２（ｃ）及び図３（ａ）のように、シャックル１２の先端１２ｂがソケット孔１１ｇに差し込まれているときには、ケース１１及び板体１３の複数の貫通孔１１ｅ，１３ａは全て一致している。この状態から、シャックル１２を相対的に矢印ＵＰ方向に引き上げると、図３（ｂ）のようにシャックル１２の先端１２ｂがソケット孔１１ｇから外れ、板体１３も一緒に引き上げられてケース１１内を可動し、ケース１１及び板体１３の複数の貫通孔１１ｅ，１３ａは連通しない配置になる。
【００２６】
図３（ｂ）の状態から、シャックル１２の先端１２ｂに回転方向の力を加えると、シャックル１２は基端１２ａを中心とし、ケース１１及び板体１３に対して相対的に旋回し、図３（ｃ）のように先端１２ｂがケース１１から離され、この先端１２ｂを機械や設備の回路遮断スイッチ（図示せず）などのピン孔（図示せず）に差し込み易くなる。
【００２７】
インターロック装置１０を使用するときには、図３（ｃ）の状態で、シャックル１２の先端１２ｂをスイッチのピン孔に差し込んだ後に、ケース１１及び板体１３を図３（ｂ）の位置まで旋回させる。そして、ケース１１のみを相対的に上方に押し上げると、シャックル１２の先端１２ｂは、ケース１１のソケット孔１１ｇに差し込まれる。このとき、ケース１１及び板体１３の複数の貫通孔１１ｅ，１３ａは図２（ｃ）のように全て一致した配置になり、これら複数の貫通孔１１ｅ，１３ａの何れかにパドロックが取り付けられれば、シャックル１２の先端１２ｂはソケット孔１１ｇから外すことができなくなる。これ以降、作業者は各貫通孔１１ｅ，１３ａにパドロックをそれぞれ取り付け、全てのパドロックが外されない限りは、機械や設備の回路遮断スイッチ（図示せず）などのピン孔からインターロック装置１０を外すことができなくなり、したがって、機械や設備のスイッチを誤って操作することが防止される。
【図面の簡単な説明】
【００２８】
【図１】本発明のインターロック装置の斜視図である。
【図２】（ａ）はインターロック装置の正面図、（ｂ）は側面図、（ｃ）はケースからカバーを外して示した正面図である。
【図３】（ａ）〜（ｃ）は、ケースからカバーを外して示したインターロック装置の部分的な正面図である。
【図４】（ａ）（ｂ）は従来例を示す図である。
【符号の説明】
【００２９】
１０  インターロック装置
１１  ケース
１１ｅ  複数の貫通孔
１１ｆ  貫通孔
１１ｇ  ソケット孔
１１ｈ  係合部
１２  シャックル
１２ａ  基端
１２ｂ  先端
１３  板体
１３ａ  複数の貫通孔
１３ｂ  シャックル取付け部
１３ｃ  係合部
【図１】
2008041591.tif 000003
【図２】
2008041591.tif 000004
【図３】
2008041591.tif 000005
【図４】
2008041591.tif 000006